(57)【特許請求の範囲】
【請求項１】
複数の収納票が取り込まれる取込口と、
前記複数の収納票の各々についての情報を取得する情報取得部と、
前記情報取得部により取得された情報に基づいて、前記複数の収納票の各々に対応する表示を含む画面を生成する表示制御部と、
前記画面において前記複数の収納票の一部の収納票を選択する操作を検出する操作検出部と、
前記一部の収納票と異なる他の収納票について、領収印が形成された受領証を取得する受領証取得部と、
を備え、
前記領収印が形成された受領証および前記一部の収納票を排出する、収納票処理装置。
【請求項２】
前記情報取得部は、前記複数の収納票の各々についての情報として、前記複数の収納票の画像を取得し、
前記表示制御部は、前記複数の収納票の各々に対応する表示として、前記複数の収納票の画像を含む画面を生成する、請求項１に記載の収納票処理装置。
【請求項３】
前記収納票処理装置は、
前記情報取得部により前記情報が取得された前記複数の収納票を一時的に保留し、前記複数の収納票を繰り出す一時保留部をさらに備え、
前記情報取得部は、前記一時保留部から繰り出された前記他の収納票の画像を取得し、前記一時保留部から繰り出された前記一部の収納票の画像を取得しない、請求項１に記載の収納票処理装置。
【請求項４】
前記一時保留部は、前記他の収納票の各々に対応する支払金額の合計金額の支払いが確認された後に、前記複数の収納票の繰出しを開始する、請求項３に記載の収納票処理装置。
【請求項５】
前記受領証取得部は、前記他の収納票に含まれる受領証の部分に領収印を形成することにより、前記領収印が形成された受領証を取得する、請求項１〜４のいずれか一項に記載の収納票処理装置。
【請求項６】
前記受領証取得部は、前記他の収納票に含まれる受領証の部分の画像および領収印を印刷することにより、前記領収印が形成された受領証を取得する、請求項１に記載の収納票処理装置。
【請求項７】
前記受領証取得部は、前記他の収納票についての前記受領証を、当該受領証のフォーマットおよび前記領収印を形成することにより取得する、請求項１〜４のいずれか一項に記載の収納票処理装置。
【請求項８】
前記収納票処理装置は、
前記他の収納票を集積する集積部をさらに備える、請求項６または７に記載の収納票処理装置。
【請求項９】
前記収納票処理装置は、前記領収印が形成された受領証を含む前記他の収納票を排出する、請求項１〜５のいずれか一項に記載の収納票処理装置。
【発明の詳細な説明】
【技術分野】
【０００１】
本発明は、収納票処理装置に関する。
【背景技術】
【０００２】
近年、郵便局およびコンビニエンスストアなどの店舗において、通信販売での購入代金や公共料金の支払いを行うための収納代行システムが広く利用されている。このようなコンビニエンスストアなどの店舗での収納代行業務と、当該業務用の装置については、例えば、特許文献１に記載されている。
【先行技術文献】
【特許文献】
【０００３】
【特許文献１】特開２００８−２１０２９６号公報
【発明の概要】
【発明が解決しようとする課題】
【０００４】
上記の収納代行業務に関し、複数の収納票を内部に取込み、複数の収納票から読取られた情報を用いて収納代行処理を進める収納票処理装置が開発され得る。ここで、内部に取り込まれた一部の収納票についての処理をキャンセルするためには、収納票処理装置が複数の収納票を一度全て排出し、処理対象の収納票のみを店員が収納票処理装置に再度挿入することが考えられる。
【０００５】
しかし、一部の収納票についての処理のキャンセルのために収納票の排出と挿入が繰り返されると、処理時間が長期化してしまうことが懸念される。
【０００６】
そこで、本発明は、上記問題に鑑みてなされたものであり、本発明の目的とするところは、収納代行処理の処理時間を短縮することが可能な、新規かつ改良された収納票処理装置を提供することにある。
【課題を解決するための手段】
【０００７】
上記課題を解決するために、本発明のある観点によれば、複数の収納票が取り込まれる取込口と、前記複数の収納票の各々についての情報を取得する情報取得部と、前記情報取得部により取得された情報に基づいて、前記複数の収納票の各々に対応する表示を含む画面を生成する表示制御部と、前記画面において前記複数の収納票の一部の収納票を選択する操作を検出する操作検出部と、前記一部の収納票と異なる他の収納票について、領収印が形成された受領証を取得する受領証取得部と、を備え、前記領収印が形成された受領証および前記一部の収納票を排出する、収納票処理装置が提供される。
【０００９】
前記情報取得部は、前記複数の収納票の各々についての情報として、前記複数の収納票の画像を取得し、前記表示制御部は、前記複数の収納票の各々に対応する表示として、前記複数の収納票の画像を含む画面を生成してもよい。
【００１０】
前記収納票処理装置は、前記情報取得部により前記情報が取得された前記複数の収納票を一時的に保留し、前記複数の収納票を繰り出す一時保留部をさらに備え、前記情報取得部は、前記一時保留部から繰り出された前記他の収納票の画像を取得し、前記一時保留部から繰り出された前記一部の収納票の画像を取得しなくてもよい。
【００１１】
前記一時保留部は、前記他の収納票の各々に対応する支払金額の合計金額の支払いが確認された後に、前記複数の収納票の繰出しを開始してもよい。
【００１２】
前記受領証取得部は、前記他の収納票に含まれる受領証の部分に領収印を形成することにより、前記領収印が形成された受領証を取得してもよい。
【００１３】
前記受領証取得部は、前記他の収納票に含まれる受領証の部分の画像および領収印を印刷することにより、前記領収印が形成された受領証を取得してもよい。
【００１４】
前記受領証取得部は、前記他の収納票についての前記受領証を、当該受領証のフォーマットおよび前記領収印を形成することにより取得してもよい。
【００１５】
前記収納票処理装置は、前記他の収納票を集積する集積部をさらに備えてもよい。
【００１６】
前記収納票処理装置は、前記領収印が形成された受領証を含む前記他の収納票を排出してもよい。
【発明の効果】
【００１７】
以上説明したように本発明によれば、収納代行処理の処理時間を短縮することが可能である。
【図面の簡単な説明】
【００１８】
【図１】本発明の実施形態による収納代行システムを示す説明図である。
【図２】収納票処理装置の外観構成例を示す説明図である。
【図３】収納票の構成例を示す説明図である。
【図４】データコード領域に形成されるデータコードのコード体系の一例を示す説明図である。
【図５】本発明の第１の実施形態による収納票処理装置の構成を示す説明図である。
【図６】第１の実施形態による収納票処理部の構成を示す説明図である。
【図７】第１の実施形態による収納票処理装置の動作を示すフローチャートである。
【図８】確認画面の具体例を示す説明図である。
【図９】変形例による確認画面の構成を示す説明図である。
【図１０】本発明の第２の実施形態による収納票処理装置の構成を示す説明図である。
【図１１】第２の実施形態による収納票処理部の構成を示す説明図である。
【図１２】第２の実施形態による収納票処理装置の動作を示すフローチャートである。
【図１３】自立型装置の構成を示す外観図である。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２１】
＜＜１．収納代行システムの概要＞＞
近日、収納代行業務のための一連の作業は、店舗の店員による手作業に行われることが多い。例えば、店舗の店員は、以下のような手作業を行うことにより、収納代行業務を遂行する。
【００２２】
まず、店員は、顧客から受け取った収納票の枚数を確認し、店員側タッチパネルやキーボードなどを操作してＰＯＳ端末に収納票の枚数を入力する。続いて、店員は、収納票に記載されたデータコードをデータコードリーダで読み取り、合計収納金額の確認と承認を顧客に依頼する。この時、合計金額と承認ボタンが顧客側タッチパネルに表示される。顧客が承認ボタンを押下すると、店員は、顧客から現金を受け取り、現金収納部（キャッシュドロワ―）に現金を入金して、釣銭があった場合には釣銭を顧客に返却する。また、店員は店員側タッチパネルやキーボードなどを操作して、当該顧客から収納金額を領収したことをＰＯＳ端末に入力する。さらに、店員は、収納票の領収印欄に当日の日附を含む領収印を押印する。また、印紙が必要な場合には、店員は収納票の印紙貼付欄に印紙を貼り付ける。その後、店員は領収印欄を含むお客様控え（受領証領域）を収納票から切り離して顧客に渡す。最後に、店員は収納票の保管場所にお客様控えが切り離された収納票を格納する。
【００２３】
しかし、上記の処理の大部分は店員の手作業により行われるので、不備が発生しやすいという問題があった。特に、収納代行業務に慣れていない店員（主にアルバイト店員）は、処理に長時間かかってしまうことや、処理を間違えてしまうことがあった。
【００２４】
＜１−１．収納代行システムの構成＞
本発明の実施形態は、上記の手作業の少なくとも一部を機械的に処理することにより、店員の負荷を軽減しつつ、処理の確実性を向上することが可能な収納代行システムに関する。以下、図１を参照し、このような収納代行システムの構成を説明する。
【００２５】
図１は、本発明の実施形態による収納代行システムを示す説明図である。図１に示したように、本発明の実施形態による収納代行システムは、収納票処理装置１、通信網１２および収納票処理装置１と通信網１２を介して接続されるセンタサーバ８を備える。
【００２６】
通信網１２は、通信網１２に接続されている装置から送信される情報の有線、または無線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２７】
センタサーバ８は、収納票処理装置１と通信網１２を介して収納代行業務に関する情報を通信する。例えば、センタサーバ８は、収納票処理装置１において収納代行業務が行われた収納票に関する情報を受信し、当該情報を記憶してもよい。
【００２８】
収納票処理装置１は、商品の登録や代金支払いのための物販処理装置としての機能と、収納票のような媒体を機械的に処理する媒体処理装置としての機能を有する。以下、図２を参照し、収納票処理装置１の外観構成例を説明する。
【００２９】
＜１−２．収納票処理装置１の外観構成＞
図２は、収納票処理装置１の外観構成例を示す説明図である。図２に示したように、収納票処理装置１は、ＰＯＳ端末部２０と、現金処理部３０と、収納票処理部４０と、を備える。ＰＯＳ端末部２０は、現金処理部３０および収納票処理部４０と図示しない通信部により接続されている。
【００３０】
ＰＯＳ端末部２０は、図２に示したように、ハンディスキャナ１２２、店員側タッチパネル１２４および顧客側タッチパネル１２６を有する。
【００３１】
ハンディスキャナ１２２は、商品に形成されているバーコードから情報を光学的に読取る構成である。店員が、ハンディスキャナ１２２を把持し、商品に形成されているバーコードにハンディスキャナ１２２を近付けることにより、ハンディスキャナ１２２による情報の読み取りが行われる。
【００３２】
店員側タッチパネル１２４は、表示機能と操作検出機能を有する。例えば、店員側タッチパネル１２４は、収納票処理装置１が設置される店舗の店員による各種情報の確認や収納票処理装置１の操作を検出する操作検出部として機能する。顧客側タッチパネル１２６は、店員側タッチパネル１２４と同様に、表示機能と操作検出機能を有する。顧客側タッチパネル１２６は、例えば、商品の購入や収納代行による支払を行う顧客による各種情報の確認や、承認などの操作を検出する操作検出部として機能する。
【００３３】
現金処理部３０は、現金の入出金に関する処理を行う構成である。例えば現金処理部３０は、入金された現金を計数し、ＰＯＳ端末部２０に計数結果を通知する。また、現金処理部３０は、計数された現金の格納処理、および釣銭の出金処理を行う。
【００３４】
収納票処理部４０は、取込口および排出口として機能する開口１４１、および収納票が載置されるステージ１４２を有する。収納票処理部４０は、ステージ１４２に載置された１または２以上の収納票を開口１４１から取り込み、取り込んだ収納票を用いて収納代行に関する処理を行う。例えば、収納票処理部４０は、収納票をスキャンし、スキャンの結果に基づいて支払金額を特定し、支払金額の入金が確認されると、収納票に領収印を形成し、領収印が形成された収納票を排出する。
【００３５】
＜１−３．収納票の構成例＞
ここで、図３および図４を参照し、収納票処理部４０により処理される収納票の構成例を説明する。
【００３６】
図３は、収納票６０の構成例を示す説明図である。図３に示したように、収納票６０は、払込取扱票７０、店舗控え８０および受領証９０からなる。
【００３７】
払込取扱票７０は、図３に示したように、支払先の口座番号や収納金額などの情報の他、領収印領域７２とデータコード領域７４を含む。領収印領域７２には領収印が形成（押印）される。データコード領域７４には、収納に関する情報を含む一次元のデータコードが形成される。
【００３８】
図４は、データコード領域７４に形成されるデータコードのコード体系の一例を示す説明図である。図４に示したように、データコードは、印紙フラグ（６）、支払金額（７）などの情報を含む。また、データコードに含まれる自由記載欄（３）には、識別ＩＤ、および当該収納票による支払金の受取人名を示す情報が含まれてもよい。
【００３９】
なお、払込取扱票７０は、本部控えとも呼ばれ、収納票処理装置１により当該収納票の処理が行われた後に本部に送られる。
【００４０】
店舗控え８０は、図３に示したように領収印領域８２を含む。領収印領域８２には領収印が形成（押印）される。
【００４１】
受領証９０は、図３に示したように、領収印領域９２、印紙貼付領域９４を含む。領収印領域９２には領収印が形成（押印）される。印紙貼付領域９４には、必要に応じて印紙が貼り付けられる。受領証９０は、お客様控えとも呼ばれ、収納票処理装置１により当該収納票の処理が行われた後に顧客に返却される。
【００４２】
＜１−４．比較例＞
以上、本実施形態による収納票処理装置１の基本構成を説明した。続いて、本実施形態による収納票処理装置１の構成および技術的意義をより明らかにするために、本実施形態による収納票処理装置１の詳細な説明に先立ち、本実施形態の比較例を説明する。
【００４３】
比較例による収納票処理装置は、１または２以上の収納票を取り込み、取り込んだ収納票を用いて収納代行に関する処理を行う。内部に取り込まれた一部の収納票についての処理のキャンセルが望まれる場合もあり、この場合、収納票処理装置は全ての収納票を全て排出する。そして、処理対象の収納票を店員が収納票処理装置にセットし、収納票処理装置が処理対象の収納票を再度取り込むことにより、収納代行に関する処理を行う。
【００４４】
しかし、一部の収納票についての処理のキャンセルのために収納票の排出と取込みが繰り返されると、処理時間が長期化してしまうことが懸念される。
【００４５】
そこで、本件発明者は、上記事情を一着眼点にして本発明の実施形態による収納票処理装置１を創作するに至った。本発明の実施形態によれば、一部の収納票についての処理のキャンセルに伴う処理時間の長期化を抑制することが可能である。以下、このような本発明の各実施形態について順次詳細に説明する。
【００４６】
＜＜２．第１の実施形態＞＞
＜２−１．収納票処理装置の構成＞
図５は、本発明の第１の実施形態による収納票処理装置１の構成を示す説明図である。図５に示したように、本発明の第１の実施形態による収納票処理装置１は、現金処理部３０、収納票処理部４０、制御部１１０、通信部１２０、ハンディスキャナ１２２、店員側タッチパネル１２４、顧客側タッチパネル１２６および記憶部１６０を備える。ハンディスキャナ１２２、店員側タッチパネル１２４および顧客側タッチパネル１２６の構成は、「１−２．収納票処理装置１の外観構成」において説明済であるので、ここでの詳細な説明は省略する。
【００４７】
（制御部）
制御部１１０は、記憶部１６０に格納されている制御プログラムに基づいて収納票処理装置１の各構成を制御する。例えば、制御部１１０は、ハンディスキャナ１２２により読み取られたデータコードを解析して、データコードに含まれる情報を取得する。また、制御部１１０は、店員側タッチパネル１２４および顧客側タッチパネル１２６の表示を制御する。また、制御部１１０は、収納票処理部４０による収納代行処理を制御する。
【００４８】
特に、本実施形態による制御部１１０は、開口１４１から取り込まれた複数の収納票の各々についての情報を取得する情報取得部１１２、および当該情報に基づいて複数の収納票の各々に対応する表示を含む確認画面を生成する表示制御部１１４としての機能を包含する。このような制御部１１０のより具体的な機能については図７および図８などを参照して後述する。
【００４９】
なお、以下では、収納票処理部４０が収納票処理部４０の外部に設けられた制御部１１０により制御される例を説明するが、収納票処理部４０の内部に設けられた制御機能が収納票処理部４０の処理を制御してもよい。
【００５０】
（通信部）
通信部１２０は、有線／無線により他の情報処理装置との間でデータの送受信を行うための通信モジュールである。例えば、通信部１２０は、ＬＡＮ（Ｌｏｃａｌ  Ａｒｅａ  Ｎｅｔｗｏｒｋ）などに接続され、同一店舗内に設置された図示されない他のＰＯＳ端末やコンピュータと通信する。また、通信部１２０は、ＬＡＮ（Ｌｏｃａｌ  Ａｒｅａ  Ｎｅｔｗｏｒｋ）や電話回線などに接続され、通信網１２を介してセンタサーバ８と通信する。例えば、通信部１２０は、通信網１２を介してセンタサーバ８に、収納票処理装置１で収納代行処理が行われた収納票に関する情報を送信してもよい。
【００５１】
（記憶部）
記憶部１６０は、物販処理や収納代行処理における入力データ、および収納票処理装置１の動作を制御するための制御プログラムなどを格納する。また、店員側タッチパネル１２４、顧客側タッチパネル１２６の表示を制御するための情報も記憶部１６０に格納されている。
【００５２】
（収納票処理部）
収納票処理部４０は、ステージ１４２に載置された１または２以上の収納票を開口１４１から取り込み、取り込んだ収納票を用いて収納代行に関する処理を行う。図６を参照し、この収納票処理部４０の構成をより具体的に説明する。
【００５３】
図６は、収納票処理部４０の構成を示す説明図である。図６に示したように、収納票処理部４０は、開口１４１と、スキャナ部１４４と、一時保留部１４６と、領収印形成部１４８と、を備える。
【００５４】
スキャナ部１４４は、開口１４１から取り込まれた収納票をスキャンし、収納票の画像を取得する。一時保留部１４６は、収納票を一時的に集積し、一時的な集積の後、収納票を繰り出す。領収印形成部１４８は、一時保留部１４６から繰り出された収納票に領収印を印刷する。例えば、領収印形成部１４８は、収納票の受領証の部分に領収印を印刷することにより、領収印が形成された受領証を取得する受領証取得部としての機能を有する。領収印形成部１４８により領収印が印刷された収納票は、開口１４１から排出される。
【００５５】
上記の収納票処理部４０によれば、データコードのスキャンおよび領収印の印刷を手作業から機械的な処理に切り替えることができるので、店員の負荷を軽減しつつ、処理の確実性を向上することが可能である。
【００５６】
＜２−２．収納票処理装置の動作＞
以上、第１の実施形態による収納票処理装置１の構成を説明した。続いて、図７を参照し、第１の実施形態による収納票処理装置１の動作を整理する。
【００５７】
図７は、第１の実施形態による収納票処理装置１の動作を示すフローチャートである。図７に示したように、開口１４１から収納票が取り込まれると（Ｓ３０４）、取り込まれた収納票をスキャナ部１４４がスキャンする（Ｓ３０８）。その後、一時保留部１４６が収納票を一時的に集積する。収納票を一時保留部１４６に取り込む際は、スキャンにより得られた収納票の画像と一時保留部１４６に取り込んだ順番を紐付て記憶しておく（Ｓ３１２）。そして、Ｓ３０４〜Ｓ３１２の動作が、ステージ１４２にセットされた全ての収納票が取り込まれるまで繰り返される（Ｓ３１６）。
【００５８】
そして、全ての収納票が取り込まれると（Ｓ３１６／ｙｅｓ）、制御部１１０は、各収納票に対応する表示を含む確認画面を生成し、当該確認画面を店員側タッチパネル１２４に表示させる（Ｓ３２０）。各収納票に対応する表示としては、例えば、受取人名を示す表示、および支払金額を示す表示が挙げられる。図８を参照し、確認画面についてより具体的に説明する。
【００５９】
図８は、確認画面の具体例を示す説明図である。図８に示したように、確認画面は、各収納票に対応する表示２１０Ａ〜２１０Ｄ、収納票ごとに設けられたキャンセルボタン２２０Ａ〜２２０Ｄ、および確認ボタン２３０を含む。制御部１１０は、収納票に対応する表示２１０に含まれる支払金額をデータコードの解析により取得し得る。また、制御部１１０は、収納票に対応する表示２１０に含まれる受取人名を、データコードから得られた情報に基づいてセンタサーバ８に受取人名を問い合わせることにより、取得し得る。例えば、センタサーバ８は、収納票の識別ＩＤと関連付けて受取人名、支払者名などの情報を記憶しており、収納票処理装置１から上記問い合わせとしてデータコードから得られた識別ＩＤを受信すると、当該識別ＩＤと関連付けて記憶している受取人名を示す情報を収納票処理装置１に送信してもよい。また、確認画面に各収納票を表示する際は、収納票を一時保留部１４６へ取り込んだ順に表示してもよい。
【００６０】
顧客の所持金不足または支払期限切れ等の事情により、一部の収納票のキャンセルが望まれる場合、店員は、キャンセルされるべき収納票を例えば顧客との会話により特定し、上記確認画面において、当該収納票に対応するキャンセルボタン２２０を選択する。その後、店員により確認ボタン２３０が選択されると、上記一部の収納票と異なる他の収納票について収納代行処理が進められる。
【００６１】
具体的には、図７に示したように、キャンセル対象外の収納票についての合計金額の支払いが確認されると（Ｓ３２４）、一時保留部１４６が収納票を繰り出す（Ｓ３２８）。一時保留部１４６から繰り出された収納票がキャンセル対象の収納票でない場合（Ｓ３３２／ｎｏ）、領収印形成部１４８が当該収納票に領収印を印刷する（Ｓ３３６）。領収印が印刷された収納票は、領収印が印刷された受領証を含む。領収印が印刷された収納票が開口１４１から排出される（Ｓ３４０）。なお、領収印が印刷された収納票をスキャナ部１４４がスキャンし、スキャンにより得られた画像を記憶部１６０が保管用に記憶しておいてもよい。
【００６２】
一方、一時保留部１４６から繰り出された収納票がキャンセル対象の収納票である場合（Ｓ３３２／ｙｅｓ）、収納票処理部４０は、当該収納票への領収印の印刷および当該収納票のスキャンを行わず、当該収納票を排出する（Ｓ３４０）。そして、全ての収納票の排出が終了するまで、Ｓ３２８〜Ｓ３４０の処理が繰り返される（Ｓ３４４）。スキャンにより得られた収納票の画像と一時保留部１４６に取り込んだ順番を紐付て記憶しておくことで、キャンセルボタン２２０が押下された収納票は、一時保留部１４６に何番目に取り込まれた収納票であるかを特定することができる。そのため、Ｓ３３２においては、収納票が一時保留部１４６から繰り出された順番に基づき、キャンセル対象の収納票であるか否かが判断できる。
【００６３】
以上説明したように、本実施形態によれば、一部の収納票についての処理のキャンセルを、収納票の排出と取込みを繰り返さずに実現できるので、処理速度を向上し、キャンセルに伴う処理時間の長期化を抑制することが可能である。
【００６４】
（変形例）
上記では、制御部１１０が店員側タッチパネル１２４に確認画面を表示させる例を説明したが、制御部１１０は、顧客側タッチパネル１２６に確認画面を表示させてもよい。また、確認画面の構成は、図８に示した構成に限定されない。以下、変形例として、顧客側タッチパネル１２６に表示される確認画面の構成を説明する。
【００６５】
図９は、変形例による確認画面の構成を示す説明図である。図９に示したように、制御部１１０は、スキャナ部１４４により得られた各収納票の画像２４０Ａ〜２４０Ｄを含む確認画面を生成し、当該確認画面を顧客側タッチパネル１２６に表示させてもよい。顧客は、当該確認画面において、キャンセル対象とする収納票を選択することができる。
【００６６】
このような変形例によれば、キャンセル対象とする収納票を顧客が直接選択するので、店員が顧客との会話でキャンセル対象とする収納票を特定する手間および時間を省き、処理速度の向上を実現することが可能である。また、実際の収納票の画像が表示されるので、キャンセル対象とする収納票をより直感的に選択することが可能となる。
【００６７】
＜＜３．第２の実施形態＞＞
以上、本発明の第１の実施形態を説明した。次に、本発明の第２の実施形態を説明する。第２の実施形態は、第１の実施形態と異なる方法で領収印が形成された受領証を得ることが可能である。
【００６８】
＜３−１．収納票処理装置の構成＞
図１０は、本発明の第２の実施形態による収納票処理装置２の構成を示す説明図である。図１０に示したように、本発明の第１の実施形態による収納票処理装置２は、現金処理部３０、収納票処理部４１、印刷部５０、制御部１１１、通信部１２０、ハンディスキャナ１２２、店員側タッチパネル１２４、顧客側タッチパネル１２６および記憶部１６０を備える。収納票処理部４１、印刷部５０および制御部１１１が第１の実施形態と異なる主な構成であるので、以下では、収納票処理部４１、印刷部５０および制御部１１１の構成を順次説明する。
【００６９】
（印刷部）
印刷部５０は、制御部１１１から領収印を含む受領証の画像の入力を受け、当該画像の印刷により領収印が印刷された受領証を取得する、受領証取得部として機能する。
【００７０】
（収納票処理部）
収納票処理部４１は、第１の実施形態で説明した収納票処理部４０の機能に加え、収納票を集積する機能を有する。以下、図１１を参照して第２の実施形態による収納票処理部４１の構成を説明する。
【００７１】
図１１は、第２の実施形態による収納票処理部４１の構成を示す説明図である。図１１に示したように、第２の実施形態による収納票処理部４１は、開口１４１と、スキャナ部１４４と、一時保留部１４６と、領収印形成部１４８と、ブレード１４５と、集積部１４９と、を備える。
【００７２】
収納票は開口１４１から取り込まれ、スキャナ部１４４は、開口１４１から取り込まれた収納票をスキャンし、収納票の画像を取得する。制御部１１１は、スキャンにより得られた収納票の画像を解析し、データコードに含まれる支払金額などの情報を取得し、支払金額の確認画面を顧客側タッチパネル１２６に表示させる。
【００７３】
一時保留部１４６は、収納票を一時的に集積し、集積していた収納票を支払金の入金後に繰り出す。領収印形成部１４８は、一時保留部１４６から繰り出された収納票の、図３を参照して説明した領収印領域９２に領収印を印刷する。さらに、スキャナ部１４４は、領収印が印刷された収納票をスキャンする。
【００７４】
ブレード１４５は、一時保留部１４６から繰り出された収納票の搬送先を、制御部１１１からの制御に従って開口１４１と集積部１４９との間で切り替える。例えば、制御部１１１は、収納代行処理がキャンセルされた収納票は開口１４１に向けて搬送され、収納代行処理が行われた収納票は集積部１４９に搬送されるように、ブレード１４５による搬送先の切替えを制御する。
【００７５】
集積部１４９は、ブレード１４５の作用により集積部１４９に搬送された収納票を集積（保管）する。
【００７６】
（制御部）
制御部１１１は、スキャナ部１４４のスキャンにより得られた収納票の画像のうち、領収印が印刷された受領証の部分の画像を印刷部５０に印刷させる。かかる構成により、印刷部５０から受領証が排出されるので、収納票から受領証を切り離す手間を削減することが可能である。また、店員が、受領証を含む収納票の全体を顧客に返却してしまうことも防止可能である。
【００７７】
なお、制御部１１１は、他の方法により印刷部５０に受領証を印刷させることも可能である。具体的には、制御部１１１は、例えば記憶部１６０に記憶された受領証のフォーマットに、支払人名、受取人名および領収印などを当て込むことにより印刷データを取得し、当該印刷データを印刷部５０に印刷させてもよい。支払人名および受取人名は、スキャナ部１４４により得られた画像から認識されてもよいし、センタサーバ８への問い合わせにより取得されてもよい。
【００７８】
＜３−２．収納票処理装置の動作＞
以上、第２の実施形態による収納票処理装置２の構成を説明した。続いて、図１２を参照し、第２の実施形態による収納票処理装置２の動作を整理する。
【００７９】
図１２は、第２の実施形態による収納票処理装置２の動作を示すフローチャートである。図１２に示したＳ４０４〜Ｓ４２８の処理は、図７に示したＳ３０４〜Ｓ３２８の処理に対応するので、Ｓ４０４〜Ｓ４２８の処理の詳細な説明は省略する。
【００８０】
一時保留部１４６から繰り出された収納票がキャンセル対象の収納票でない場合（Ｓ４３２／ｎｏ）、印刷部５０が、制御部１１１からの制御に基づき、領収印を含む受領証を印刷し、領収印を含む受領証を排出する（Ｓ４３６）。そして、キャンセル対象でない当該収納票を集積部１４９が集積する（Ｓ４４０）。
【００８１】
一方、一時保留部１４６から繰り出された収納票がキャンセル対象の収納票である場合（Ｓ４３２／ｙｅｓ）、当該収納票についての受領証の印刷およびスキャンは行われずに、開口１４１から当該収納票が排出される（Ｓ４４４）。そして、全ての収納票の排出が終了するまで、Ｓ４２８〜Ｓ４４４の処理が繰り返される（Ｓ４４８）。
【００８２】
＜＜４．むすび＞＞
以上説明したように、本実施形態によれば、一部の収納票についての処理のキャンセルを、収納票の排出と取込みを繰り返さずに実現できるので、処理速度を向上し、キャンセルに伴う処理時間の長期化を抑制することが可能である。
【００８３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８４】
例えば、本実施形態は、上述した店員により操作される収納票処理装置１および収納票処理装置２への適用に加え、顧客により操作される自立型の収納票処理装置への応用も可能である。以下、自立型装置について説明する。
【００８５】
図１３は、自立型の収納票処理装置３の構成を示す外観図である。図１３に示したように、自立型の収納票処理装置３は、制御部格納部２１と、現金処理部３０と、収納票処理部４０と、印刷部５０と、タッチパネル１２５と、を備える。
【００８６】
制御部格納部２１には、第１の実施形態において説明した制御部１１０の機能を実現する構成、または第２の実施形態において説明した制御部１１１の機能を実現する構成が格納される。現金処理部３０、収納票処理部４０および印刷部５０の機能は第１の実施形態で説明した通りである。タッチパネル１２５は、顧客への案内画面および確認画面などを表示する機能および顧客からの操作を検出する機能を有する。
【００８７】
上記の自立型の収納票処理装置３によれば、顧客による自立型の収納票処理装置３の操作に基づき、店員を介さずに収納代行処理を完了することが可能となる。すなわち、店員を介さずに収納代行処理を進められる自立型の収納票処理装置３を店舗に設置することが可能である。
【００８８】
また、本明細書の収納票処理装置１〜収納票処理装置３の処理における各ステップは、必ずしもフローチャートとして記載された順序に沿って時系列に処理する必要はない。例えば、収納票処理装置１〜収納票処理装置３の処理における各ステップは、フローチャートとして記載した順序と異なる順序で処理されても、並列的に処理されてもよい。
【００８９】
また、収納票処理装置１〜収納票処理装置３に内蔵されるＣＰＵ、ＲＯＭおよびＲＡＭなどのハードウェアに、上述した収納票処理装置１〜収納票処理装置３の各構成と同等の機能を発揮させるためのコンピュータプログラムも作成可能である。また、該コンピュータプログラムを記憶させた記憶媒体も提供される。
【符号の説明】
【００９０】
１、２、３  収納票処理装置
８  センタサーバ
１２  通信網
２０  ＰＯＳ端末部
２１  制御部格納部
３０  現金処理部
４０、４１  収納票処理部
５０  印刷部
１１０  制御部
１１１  制御部
１１２  情報取得部
１１４  表示制御部
１２０  通信部
１２２  ハンディスキャナ
１２４  店員側タッチパネル
１２５  タッチパネル
１２６  顧客側タッチパネル
１４１  開口
１４２  ステージ
１４４  スキャナ部
１４５  ブレード
１４６  一時保留部
１４８  領収印形成部
１４９  集積部
１６０  記憶部
【図１】
0006682909.tif 000002
【図２】
0006682909.tif 000003
【図３】
0006682909.tif 000004
【図４】
0006682909.tif 000005
【図５】
0006682909.tif 000006
【図６】
0006682909.tif 000007
【図７】
0006682909.tif 000008
【図８】
0006682909.tif 000009
【図９】
0006682909.tif 000010
【図１０】
0006682909.tif 000011
【図１１】
0006682909.tif 000012
【図１２】
0006682909.tif 000013
【図１３】
0006682909.tif 000014